【手続補正書】
【提出日】平成25年7月23日(2013.7.23)
【手続補正１】
【補正対象書類名】特許請求の範囲
【補正対象項目名】全文
【補正方法】変更
【補正の内容】
【特許請求の範囲】
【請求項１】
少なくとも１種類のポリカチオンおよび少なくとも１種類のポリアニオンを含み、少なくとも１種類のポリカチオンおよび／またはポリアニオンが生分解性であり、かつ、前記ポリカチオンおよびポリアニオンの各々が少なくとも１つの架橋基を含み、当該架橋基が互いに架橋可能である、生分解性の接着複合コアセルベート（ａｄｈｅｓｉｖｅ  ｃｏｍｐｌｅｘ  ｃｏａｃｅｒｖａｔｅ）。
【請求項２】
前記ポリカチオンが多糖、タンパク質、合成ポリアミン、アミン修飾天然ポリマー、アミン修飾タンパク質、エチレンジアミンで修飾されたゼラチン、１つ以上のペンダントアミノ基を含むポリアクリル酸塩、または１つ以上のペンダントイミダゾール基を含むポリアクリル酸塩を含む、請求項１に記載のコアセルベート。
【請求項３】
前記タンパク質が、組換えタンパク質または遺伝的に修飾されたタンパク質を含む、請求項２に記載のコアセルベート。
【請求項４】
前記アミン修飾天然ポリマーが、１つ以上のアルキルアミノ基、ヘテロアリール基、または１つ以上のアミノ基で置換された１つの芳香族基、で修飾されたゼラチンまたはコラーゲンを含む、請求項２に記載のコアセルベート。
【請求項５】
前記ポリアニオンが：１つ以上の硫酸基、スルホン酸基、カルボン酸基、ホウ酸基、ボロン酸基、ホスホン酸基、リン酸基、もしくはそれらの任意の組み合わせ；ポリリン酸化合物；１つ以上のペンダントリン酸基を含むポリアクリル酸塩；又は式ＩＩ：
2013500072.tif 000001
を含有する少なくとも１つの断片もしくはその薬学的に許容可能な塩を含むポリマー；を含み、Ｒ４が水素またはアルキル基であり、ｎが１ないし１０である、請求項１に記載のコアセルベート。
【請求項６】
前記ポリアニオンおよび／またはポリカチオンが、酸化を受けることが可能な少なくとも１つのジヒドロキシル芳香族基を含み、前記ジヒドロキシル芳香族基が、共有結合により前記ポリアニオンおよび／またはポリカチオンに付着している、請求項１に記載のコアセルベート。
【請求項７】
前記コアセルベートが少なくとも１種類の多価カチオンを含む、請求項１に記載のコアセルベート。
【請求項８】
前記コアセルベートが１種類以上の生物活性剤をさらに含む、請求項１に記載のコアセルベート。
【請求項９】
前記コアセルベートが可逆的酸化剤複合体をさらに含む、請求項１に記載のコアセルベート。
【請求項１０】
前記ポリカチオン上の架橋基が求核基を含み、前記ポリアニオン上の架橋基が求電子基を含む、請求項１に記載のコアセルベート。
【請求項１１】
前記ポリカチオン上の架橋基が求電子基を含み、前記ポリアニオン上の架橋基が求核基を含む、請求項１に記載のコアセルベート。
【請求項１２】
前記ポリカチオン上の架橋基およびポリアニオン上の架橋基が、酸化架橋（ｏｘｉｄａｔｉｖｅ  ｃｒｏｓｓｌｉｎｋｉｎｇ）を受けることが可能なオルト−ジヒドロキシ芳香族基を含む、請求項１に記載のコアセルベート。
【請求項１３】
前記ポリアニオン上の架橋基がオルト−ジヒドロキシ芳香族基を含み、前記ポリカチオン上の架橋基が求核基を含み、前記架橋基が反応して共有結合を形成することが可能な、請求項１に記載のコアセルベート。
【請求項１４】
前記ポリカチオン上の架橋基がオルト−ジヒドロキシ芳香族基を含み、前記ポリアニオン上の架橋基が求核基を含み、前記架橋基が反応して共有結合を形成することが可能な、請求項１に記載のコアセルベート。
【請求項１５】
前記ポリアニオン上の架橋基および前記ポリカチオン上の架橋基が、化学線により架橋可能な基を含む、請求項１に記載のコアセルベート。
【請求項１６】
前記化学線により架橋可能な基が、オレフィン基（ｏｌｅｆｉｎｉｃ  ｇｒｏｕｐ）を含む、請求項１５に記載のコアセルベート。
【請求項１７】
前記オレフィン基がアクリル酸基、メタクリル酸基、アクリルアミド基、メタクリルアミド基、アリル基、ビニル基、ビニルエステル基、またはスチレニル基を含む、請求項１６に記載のコアセルベート。
【請求項１８】
前記ポリカチオンが、１つ以上のペンダントアミノ基を含むポリアクリル酸塩または１つ以上のペンダントイミダゾール基を含むポリアクリル酸塩を含む、請求項１に記載のコアセルベート。
【請求項１９】
前記コアセルベートが、重合開始剤および所望により共開始剤（ｃｏ−ｉｎｉｔｉａｔｏｒ）をさらに含む、請求項１に記載のコアセルベート。
【請求項２０】
前記重合開始剤が、（１）ラジカル開始剤、熱開始剤、もしくは光開始剤（ｐｈｏｔｏｉｎｉｔｉａｔｏｒ）のうちの１つ以上、または（２）２種類以上のラジカル開始剤、熱開始剤、もしくは光開始剤、を含む、請求項１９に記載のコアセルベート。
【請求項２１】
（ａ）請求項１ないし２０のいずれか１項に記載の接着複合コアセルベートを加熱するステップと；
（ｂ）前記コアセルベート中のポリカチオンとポリアニオンとを架橋するステップと；
を具える方法により製造される接着剤であって、当該接着剤を製造するために（ａ）のステップが（ｂ）のステップの前、（ｂ）のステップの後、または（ｂ）のステップと同時に行うことが可能な、接着剤。
【請求項２２】
（ｂ）のステップが、前記ポリカチオンとポリアニオンとの間の架橋を促進するべく、酸化剤の使用を含む、請求項２１に記載の接着剤。
【請求項２３】
（ａ）請求項１ないし２０のいずれか１項に記載の接着複合コアセルベートを調製するステップと；
（ｂ）前記接着複合コアセルベートのｐＨを調整するステップと；
（ｃ）前記コアセルベート中のポリカチオンとポリアニオンとを架橋するステップと；
を具える方法により製造される接着剤であって、当該接着剤を製造するために（ｂ）のステップが（ｃ）のステップの前、（ｃ）のステップの後、または（ｃ）のステップと同時に行うことが可能な、接着剤。
【請求項２４】
（ｂ）のステップが、前記接着複合コアセルベートのｐＨを、７．０以上のｐＨへと上昇させるステップを具える、請求項２３に記載の接着剤。
【請求項２５】
（ｂ）のステップが、前記接着複合コアセルベートのｐＨを、最大８．０までのｐＨへと上昇させるステップを具える、請求項２４に記載の接着剤。
【請求項２６】
（ｃ）のステップが、前記ポリカチオンとポリアニオンとの間の架橋を促進するべく、酸化剤の使用を含む、請求項２３に記載の接着剤。
【請求項２７】
アニオンまたはポリカチオンを含む化合物であって、前記ポリアニオンまたはポリカチオンが酸化架橋を受けることが可能な少なくとも１つのジヒドロキシル芳香族基を含み、前記ジヒドロキシル芳香族基が共有結合により前記ポリアニオンまたはポリカチオンに付着している化合物。
【請求項２８】
前記ポリアニオンが：ポリリン酸塩；１つ以上のペンダントリン酸基を含むポリアクリル酸塩；（１）ホスフェートアクリレートおよび／もしくはホスフェートメタクリレートと（２）第二アクリル酸塩および／もしくは第二メタクリル酸塩との間の重合生成物であって、前記第二アクリル酸塩もしくは第二メタクリル酸塩に共有結合したジヒドロキシル芳香族基を含む重合生成物；または、リン酸モノアクリロキシエチルとドーパミンメタクリルアミドとの間の重合生成物；を含む、請求項２７に記載の化合物。
【請求項２９】
前記ポリリン酸塩が：天然化合物；化学的に修飾された天然化合物；合成類似体；または、ポリマー骨格に対してペンダントである少なくとも１つのリン酸基、および／もしくは、ポリマー骨格中に組み込まれた少なくとも１つのリン酸基；を含む、請求項２８に記載のポリアニオン。
【請求項３０】
前記ジヒドロキシル芳香族基がドーパまたはカテコール部分を含む、請求項２７に記載の化合物。
【請求項３１】
対象における骨折を修復するための薬剤の製造における、請求項１ないし２０のいずれか１項に記載の接着複合コアセルベートの使用であって、該修復のステップが：
（ａ）骨折した骨を前記薬剤と接触させるステップと；
（ｂ）前記コアセルベート中のポリカチオンとポリアニオンとを架橋するステップと；
を具える、使用。
【請求項３２】
基体（ｓｕｂｓｔｒａｔｅ）を対象の骨に接着させるための薬剤の製造における、１ないし２０のいずれか１項に記載の接着複合コアセルベートの使用であって、該接着のステップが：
（ａ）前記骨および／または基体を前記薬剤と接触させるステップと；
（ｂ）前記基体を前記骨に適用するステップと；
（ｃ）前記コアセルベート中のポリカチオンとポリアニオンとを架橋するステップと；
を具える、使用。
【請求項３３】
骨組織の足場を対象の骨および／または組織に接着させるための薬剤の製造における、請求項１ないし２０のいずれか１項に記載の接着複合コアセルベートの使用であって、該接着のステップが：
（ａ）前記骨および／または組織を前記薬剤と接触させるステップと；
（ｂ）前記骨組織の足場を前記骨および／または組織に適用するステップと；
（ｃ）前記コアセルベート中のポリカチオンとポリアニオンとを架橋するステップと；
を具える、使用。
【請求項３４】
前記足場が、前記骨および組織の成長または修復を促進する１種類以上の薬物を含む、請求項３３に記載の使用。
【請求項３５】
歯科用途のための薬剤の製造における、請求項１ないし２０のいずれか１項に記載の接着複合コアセルベートの使用。
【請求項３６】
歯科インプラントを固着させるための薬剤の製造における、請求項１ないし２０のいずれか１項に記載の接着複合コアセルベートの使用であって、該固着のステップが：
（ａ）口腔の基体および／または歯科インプラントに前記薬剤を適用するステップと；
（ｂ）前記歯科インプラントを前記基体に付着させるステップと；
（ｃ）前記コアセルベート中のポリカチオンとポリアニオンとを架橋するステップと；
を具える、使用。
【請求項３７】
１種類以上の生物活性剤を対象に送達するための薬剤の製造における、請求項１ないし２０のいずれか１項に記載の接着複合コアセルベートの使用。
【請求項３８】
対象において角膜および／または結膜の裂傷を修復するための薬剤の製造における、請求項１ないし２０のいずれか１項に記載の接着複合コアセルベートの使用であって、該修復のステップが：
（ａ）前記裂傷に前記薬剤を適用するステップと；
（ｂ）前記コアセルベート中のポリカチオンとポリアニオンとを架橋するステップと；
を具える、使用。
【請求項３９】
対象の血管において血流を阻害するため薬剤の製造における、請求項１ないし２０のいずれか１項に記載の接着複合コアセルベートの使用であって、該阻害のステップが：
（ａ）前記薬剤を前記血管中へと導入するステップと；
（ｂ）前記コアセルベート中のポリカチオンとポリアニオンとを架橋するステップと；
を具える、使用。